(57)【要約】【課題】施工性の向上を図ることができる簡易建物を提供する。【解決手段】本発明にかかる簡易建物１は、妻垂木７と、側面パネル体９と、取付具１１を備え、側面パネル体９は、枠２３にパネル２５を取り付けたものであり、取付具１１は、妻垂木７に固定して側面パネル体９の上枠２７を取り付けるものであり、上枠２７の呑み込み部４１と、押圧ねじ４３と、固定ねじ４５とを有し、呑み込み部４１の上下寸法Ｈ１が上枠２７の上下寸法Ｈ２よりも大きく、呑み込み部４１に呑み込まれた上枠２７を、押圧ねじ４３で下から押圧した状態で横から固定ねじ４５で止めてある。【選択図】図１
2018115517.tif 000002
【特許請求の範囲】
【請求項１】
妻垂木と、側面パネル体と、取付具を備え、側面パネル体は、枠にパネルを取り付けたものであり、取付具は、妻垂木に固定して側面パネル体の上枠を取り付けるものであり、上枠の呑み込み部と、押圧ねじと、固定ねじとを有し、呑み込み部の上下寸法が上枠の上下寸法よりも大きく、呑み込み部に呑み込まれた上枠を、押圧ねじで下から押圧した状態で横から固定ねじで止めてあることを特徴とする簡易建物。
【発明の詳細な説明】
【技術分野】
【０００１】
本発明は、簡易建物に関する。
【背景技術】
【０００２】
図９に示すように、屋根８０の側面に、枠８１にパネル８３を取り付けた側面パネル体８５を取り付ける簡易建物８７が公知である。
【発明の概要】
【発明が解決しようとする課題】
【０００３】
しかし、従来の簡易建物８７では、側面パネル体８５を手で持ち上げながら、側面パネル体８５の上枠８１ａを妻垂木９１に固定ねじ９３でねじ止めしていた為、手間がかかり、施工性が悪いという問題があった。
【０００４】
そこで、本発明は、施工性の向上を図ることができる簡易建物の提供を目的とする。
【課題を解決するための手段】
【０００５】
請求項１に記載の発明は、妻垂木と、側面パネル体と、取付具を備え、側面パネル体は、枠にパネルを取り付けたものであり、取付具は、妻垂木に固定して側面パネル体の上枠を取り付けるものであり、上枠の呑み込み部と、押圧ねじと、固定ねじとを有し、呑み込み部の上下寸法が上枠の上下寸法よりも大きく、呑み込み部に呑み込まれた上枠を、押圧ねじで下から押圧した状態で横から固定ねじで止めてあることを特徴とする簡易建物である。
【発明の効果】
【０００６】
請求項１に記載の発明によれば、取付具には側面パネル体の上枠よりも上下寸法の大きな呑み込み部が形成されているから、側面パネル体の上枠を容易に取付具に仮置きでき、押圧ねじで上枠を仮止めした後、固定ねじで固定するから、上枠を押えながら固定ねじを締め付けなくて済むので、施工性が良い。
【図面の簡単な説明】
【０００７】
【図１】本発明の第１実施の形態にかかる簡易建物であって、側面パネル体の施工方法を（ａ）〜（ｄ）に順に示す縦断面図である。
【図２】本発明の第１実施の形態にかかる簡易建物であって、妻垂木に側面パネル体を取り付ける前の状態を示す斜視図である。
【図３】取付具の図であり、（ａ）は正面図、（ｂ）は側面図である。
【図４】図５に示すＡ−Ａ断面図である。
【図５】図６に示すＢ−Ｂ断面図である。
【図６】本発明の第１実施の形態にかかる簡易建物の斜視図である。
【図７】第２実施の形態で用いる取付具の図であり、（ａ）は正面図、（ｂ）は側面図、（ｃ）は妻垂木に側面パネル体を固定した状態を示す縦断面図である。
【図８】本発明の第３実施の形態にかかる簡易建物を、図５に示す断面図と同じ位置で切断して示す断面図である。
【図９】従来の簡易建物における側面パネル体の施工方法を示す縦断面図である。
【発明を実施するための形態】
【０００８】
以下に、添付図面を参照して本発明の実施の形態を説明するが、まず、図１〜６を参照して本発明の第１実施の形態について説明する。  
図５及び図６に示すように、本発明の実施の形態にかかる簡易建物１は、躯体３に設置されるテラスである。躯体３は掃出し窓５を備える外壁である。  
簡易建物１は、左右の妻垂木７と、側面パネル体９と、取付具１１（図５参照）とを備えている。  
左右の各妻垂木７は、左右の柱１３、１３間に架設された桁１５と垂木掛け１７との間に取り付けある。  
左右の妻垂木７、７間には、左右に間隔をあけて垂木１９が取り付けてあり、隣り合う垂木１９、１９間及び、各妻垂木７と垂木１９との間には上面パネル２１が取り付けられている。  
【０００９】
図２及び図５に示すように、側面パネル体９は、枠２３に側面パネル（パネル）２５、２５を取り付けたものであり、左右の各妻垂木７に取り付けられている。  
枠２３は、上枠２７と、下枠２９と、縦枠３１とで枠組みしてあり、縦枠３１は躯体３側に位置して上枠２７と下枠２９とが固定されている。桁１５側では、枠２３は上枠２７と下枠２９とが固定されている。枠２３において、上枠２７及び下枠２９の長手方向中間部には、中骨３３が取り付けてあり、中骨３３の躯体３側に後側の側面パネル２５が取り付けてあり、中骨３３の桁１５側に前側の側面パネル２５が取り付けてある。  
図１及び図４に示すように、上枠２７は、パネル取付け部３５と、パネル取付け部３５の内側で上部に設けたビード材３７と、ビード材３７の下部に設けた被固定部３４と被固定部３４から下方に突出する垂下片３９とを有している。ビード材３７は、弾性変形自在である。  
図１（ｂ）（ｃ）に示すように、被固定部３４には、固定位置を示す目印３４ａが形成されている。目印３４ａは、被固定部３４に形成された溝条である。  
被固定部３４の下面には、パネル取付け部３５と垂下片３９との間に押圧ねじ４３の先端を受ける被押圧部３６が形成されている。  
【００１０】
取付具１１は、妻垂木７に固定して側面パネル体９の上枠２７を取り付けるものであり、取付具本体１１ａと、押圧ねじ４３と、固定ねじ４５（図１（ｄ）参照）とを有している。  
図１及び図３に示すように、取付具本体１１ａには、上枠２７の呑み込み部４１と、妻垂木７の下面にねじ４７で固定する固定部５１と、妻垂木７の下コーナ部に係合する係合部５３と、係合部５３の下方に設けた側部５５と、側部５５の下端から固定部５１と同方向に突出する下端部５７とが設けてある。下端部５７はその下面が内側（図１（ａ）（ｄ）参照）を向くように傾斜されている。  
固定部５１と、側部５５と、下端部５７とで囲まれる空間が、上枠２７の呑み込み部４１を規定している。また、下端部５７の先端には立上がり片５９が形成されている。図１（ａ）に示すように、呑み込み部４１の上下寸法Ｈ１は、上枠２７の上下寸法Ｈ２よりも大きな寸法としてある。  
側部５５には固定ねじ４５のねじ孔６１が形成されており、下端部５７には押圧ねじ４３が螺合するねじ孔６３が形成されている。  
【００１１】
次に、簡易建物１の施工について説明する。  
図５及び図６に示すように、躯体３に垂木掛け１７を固定する。一方、柱１３、１３を立設して、柱１３、１３間に桁１５を架設し、垂木掛け１７と桁１５とに左右の妻垂木７、７を取り付ける。  
次に、左右の各妻垂木７に側面パネル体９を取り付けるが、各側面パネル体９の取り付けは略同じであるから、正面から見て左側の側面パネル体９の取り付けについて説明し、正面から見て右側の側面パネルの取り付けについては、説明を省略する。  
【００１２】
図２に示すように、妻垂木７の外側に側面パネル体９を配置して、側面パネル体９を外側から妻垂木７に取り付けるが、具体的には下記のように取り付ける。  
図１（ａ）に示すように、妻垂木７の下面に取付具本体１１ａの固定部５１をねじ４７で固定する。また、取付具本体１１ａの下端部５７には押圧ねじ４３を螺合するが、押圧ねじ４３はその先端が下端部５７から上に飛び出さない程度に螺合する。  
そして、側面パネル体９の上枠２７を取付具本体１１ａの呑み込み部４１に外側から挿入する。  
図１（ｂ）に示すように、上枠２７を呑み込み部４１内に配置した状態で、垂下片３９を下端部５７に載置して、側面パネル体９を取付具本体１１ａに仮置きする。この仮置き状態では、垂下片３９が取付具本体１１ａの立上がり片５９により呑み込み部４１から脱落するのが防止される。  
【００１３】
図１（ｃ）に示すように、押圧ねじ４３を螺進して、上枠２７を上方に押し上げ、ビード材３７を圧することで上枠２７と妻垂木７との間の気密性を高める。押圧ねじ４３を全て押し込むと、取付具本体１１ａの側部５５に形成されたねじ孔６１に目印３４ａが位置する。この目印３４ａはねじ孔６１に位置したときに、ビード材３７が水密性を十分に有する程に圧着される。  
図１（ｄ）に示すように、上枠２７を押し上げた状態で、取付具本体１１ａの側部５５に横から止める固定ねじ４５をねじ孔６１から挿通して、上枠２７の被固定部３４を取付具本体１１ａに固定する。  
図２に示すように、上述したようにして妻垂木７にはその長手方向の２箇所で上枠２７を固定した後、図４に示すように、下枠２９の前側を取付金具６４で桁１５に固定し、図５に示すように、下枠２９の後側を取付金具６６で躯体３に固定する。  
【００１４】
次に、第１実施の形態にかかる簡易建物１の作用効果について説明する。  
図１（ａ）に示すように、第１実施の形態にかかる簡易建物１によれば、取付具１１には、側面パネル体９の上枠２７の上下寸法Ｈ２よりも、上下寸法Ｈ１が大きな呑み込み部４１が形成されているから、図１（ｂ）に示すように側面パネル体９の上枠２７を容易に取付具１１に仮置きでき、図１（ｃ）に示すように押圧ねじ４３で上枠２７を仮止めした後、図１（ｄ）に示すように固定ねじ４５で固定するから、上枠２７を押えながら固定ねじ４５を締め付けなくて済むので、施工性が良い。  
【００１５】
取付具本体１１ａにはその下端部に立上がり片５９を形成してあり、側面パネル体９の上枠２７には垂下片３９を形成しているから、図１（ｂ）に示すように取付具本体１１ａの呑み込み部４１に呑み込まれた上枠２７が呑み込み部４１から脱落するのを防止できる。  
図１（ａ）（ｄ）に示すように、取付具本体１１ａの下端部５７は下面を内側に向けて傾斜しているので、側面パネル体９の内側でドライバー等で押圧ねじ４３を螺進するときにパネル２４や下枠２９（図２参照）が邪魔にならない。  
押圧ねじ４３を全て押し込むと、取付具本体１１ａの側部５５に形成されたねじ孔６１に上枠２７の被固定部３４の固定位置に設けた目印３４ａが位置するので、ねじ孔６１に目印３４ａが位置いているか目視で確認する必要がなく施工性が良い。また、この目印３４ａがねじ孔６１に位置したときに、ビード材３７が水密性を十分に有する程に圧着される。  
【００１６】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７に本発明の第２実施の形態にかかる簡易建物１の取付具１１を示す。この第２実施の形態では、取付具本体１１ａの側部５５は、固定部５１の下方に設けてあり、固定部５１に止めるねじ４７は下から斜めに止めている。また、呑み込み部４１は、取付具本体１１ａの下端部５７と妻垂木７の下面７ａとの間に形成しており、呑み込み部４１の上下寸法Ｈ１は下端部５７と妻垂木７の下面との間の寸法となっている。また、固定部５１に止めるねじ４７は、下端部５７と反対側から止めている。  
この第２実施の形態によれば、上述した第１実施の形態と同様の作用効果を奏することができると共に、取付具本体１１ａの固定部５１を止めるねじ４７は下端部５７と反対側から止めるので、下端部５７が邪魔にならずにねじ込み作業ができる。  
また、呑み込み部４１の上下寸法Ｈ１は、取付具本体１１ａの下端部５７と妻垂木７の下面７ａとの間に形成しているから、取付具本体１１ａの固定部５１と立上がり片５９との間に形成する第１実施の形態よりも取付具本体１１ａを小さくできる。  
【００１７】
図８に、第３実施の形態にかかる簡易建物１を示す。この第３実施の形態では、妻垂木７はフラットな傾斜としており、側面パネル体９の上枠２７の形状も妻垂木７と同様にフラットな傾斜としてある。その他の構成は、第１実施の形態と同様である。  
この第３実施の形態によれば、第１実施の形態と同様の作用効果を奏することができる。  
【００１８】
本発明は、上述した実施の形態に限らず、本発明の要旨を逸脱しない範囲で種々変形可能である。  
例えば、簡易建物１は、カーポートやサンルーム等であってもよく、簡易建物の目的や種類は制限されない。  
側面パネル体９を妻垂木７に取り付ける取付具１１は、妻垂木７に対して２箇所設けることに限らず、１箇所であっても良いし、３箇所又は４箇所に設けても良く、取付具１１の数は制限されない。  
上枠２７に設けた垂下片３９は側面パネル２５側に設け、取付具本体１１ａに上枠２７を仮置きした状態で（図１（ｂ）参照）、立上がり片５９に隣接するようにしても良い。
【符号の説明】
【００１９】
１    簡易建物
７    妻垂木
９    側面パネル体
１１  取付具
２３  枠
２５  側面パネル（パネル）
２７  上枠
４１  呑み込み部
４３  押圧ねじ
４５  固定ねじ
Ｈ１  呑み込み部の上下寸法
Ｈ２  上枠の上下寸法
【図１】
2018115517.tif 000003
【図２】
2018115517.tif 000004
【図３】
2018115517.tif 000005
【図４】
2018115517.tif 000006
【図５】
2018115517.tif 000007
【図６】
2018115517.tif 000008
【図７】
2018115517.tif 000009
【図８】
2018115517.tif 000010
【図９】
2018115517.tif 000011